(57)【要約】【課題】  表示部を本体部とスタンド部とのいずれかに取り付けて使用することができ、これにより購入後においてもユーザが自由に使用タイプを変更できるようにする。【解決手段】  表示ユニット２の表示側取付部を装置本体１の本体側取付部に着脱可能に取り付けると共に、表示側コネクタを本体側コネクタに接続して、使用することができる。また、表示ユニット２の表示側取付部をスタンド３のスタンド側取付部に着脱可能に取り付けると共に、表示側コネクタをスタンド側コネクタに接続して、使用することができる。このため、表示ユニット２を装置本体１とスタンド３とのいずれかに取り付けて使用することができるので、購入後においてもユーザが自由に使用タイプを変更できる。これにより、両方のタイプの利点を選択的に得ることができるので、購入後にユーザが使用タイプや設置場所を変更する際、その変更に容易に対処できる。【選択図】        図１
2005316867.tif 000002
【特許請求の範囲】
【請求項１】
本体部、表示部、スタンド部を有する情報処理装置であって、
前記本体部は、前記表示部が着脱可能に取り付けられる本体側取付部と、前記表示部に対して電源および表示制御信号を供給するための本体側コネクタとを有し、
前記スタンド部は、前記表示部が着脱可能に取り付けられるスタンド側取付部と、前記表示部に対して電源および表示制御信号を供給するためのスタンド側コネクタと、前記本体部の前記本体側コネクタに接続されて前記本体部から電源および表示制御信号を取り込む接続ケーブルとを有し、
前記表示部は、前記本体部の前記本体側取付部と前記スタンド部の前記スタンド側取付部とのいずれかに着脱可能に取り付けられる表示側取付部と、前記本体部の前記本体側コネクタと前記スタンド部の前記スタンド側コネクタとのいずれかに着脱可能に接続される表示側コネクタとを有する
ことを特徴とする情報処理装置。
【請求項２】
前記表示部は表示ケースとアーム部とを有し、
前記表示ケースは少なくとも情報を表示する表示機能を有する表示パネルを備え、
前記アーム部の一端部は前記表示ケースに第１ヒンジ機構を介して取り付けられ、
前記アーム部の他端部には前記表示側取付部と前記表示側コネクタとが第２ヒンジ機構を介して取り付けられ、
前記表示側コネクタと前記表示ケースの前記表示パネルとは、前記アーム部の内部を引き回された接続線によって電気的に接続されていることを特徴とする請求項１に記載の情報処理装置。
【請求項３】
前記表示ケースは、前記アーム部を介して前記本体部に対し取り付けられた場合、
前記表示ケースの下部が前記本体部の底面よりも高い位置で、前記表示パネルの表示画面が前記本体部の前方を向く第１状態と、
前記表示ケースの下部が前記本体部の上面よりも高い位置で、前記表示パネルの表示画面が前記本体部の後方を向く第２状態と、
前記表示ケースが前記本体部の前方に位置し、その手前側端部が前記本体部の底面とほぼ同じ高さで、前記表示パネルの表示画面が上方を向く第３状態と、
前記表示ケースの下部が前記本体部の底面よりも低い位置で、前記表示パネルの表示画面が前記本体部の前方を向く第４状態と
の各状態になることを特徴とする請求項２に記載の情報処理装置。
【請求項４】
前記表示ケースは、前記アーム部を介して前記スタンド部に対し取り付けられた場合、
前記表示ケースの下部が前記スタンド部の底面よりも高い位置で、前記表示パネルの表示画面が前記スタンド部の前方を向く第１状態と、
前記表示ケースの下部が前記スタンド部の上面よりも高い位置で、前記表示パネルの表示画面が前記スタンド部の後方を向く第２状態と、
前記表示ケースが前記スタンド部の前方に位置し、その手前側端部が前記スタンド部の底面とほぼ同じ高さで、前記表示パネルの表示画面が上方を向く第３状態と
の各状態になることを特徴とする請求項２に記載の情報処理装置。
【請求項５】
前記アーム部の前記第１ヒンジ機構は、前記アーム部の長手方向に対して直交する第１軸部材と、この第１軸部材に対して直交すると共に前記表示ケースの前記表示パネルに対してほぼ垂直な第２軸部材とを備えていることを特徴とする請求項２〜４のいずれかに記載の情報処理装置。
【請求項６】
前記本体部の後面には、この本体部に接続される各種の接続ケーブルを前記本体部の上下左右のいずれかの方向に出線する後面カバーが設けられていることを特徴とする請求項１〜５のいずれかに記載の情報処理装置。
【請求項７】
前記本体部にはキーボードの下部を押えるキーボード押え部が引き出し可能に設けられ、前記表示ケースは、前記キーボード押え部によってキーボードの下部を押えたときに、前記キーボードの上部を押えることを特徴とする請求項２〜６のいずれかに記載の情報処理装置。
【請求項８】
前記スタンド部にはキーボードの下部を押えるキーボード押え部が設けられ、前記表示ケースは、前記キーボード押え部によってキーボードの下部を押えたときに、前記キーボードの上部を押えることを特徴とする請求項２〜６のいずれかに記載の情報処理装置。
【請求項９】
前記スタンド部は、その設置面に取り付けられる取付部材を備え、この取付部材に係脱可能に取り付けられることを特徴とする請求項１〜５のいずれかに記載の情報処理装置。
【請求項１０】
前記本体部から供給される電源および表示制御信号を複数の前記スタンド部にそれぞれ分配する分配器を備えていることを特徴とする請求項１〜９のいずれかに記載の情報処理装置。
【発明の詳細な説明】
【技術分野】
【０００１】
この発明は、パーソナルコンピュータなどの情報処理装置に関し、更に詳しくは使用タイプが変更可能な情報処理装置に関する。
【背景技術】
【０００２】
従来、パーソナルコンピュータなどの情報処理装置においては、本体部と表示部とを分離し、表示部をスタンド部に取り付け、このスタンド部と本体部とを接続ケーブルで電気的に接続することにより、本体部を変更することなく、表示部をユーザが選択して使用できるデスクトップ型などの据置きタイプのものがある。
【特許文献１】特開平０７−２８７６２３号
【発明の開示】
【発明が解決しようとする課題】
【０００３】
しかしながら、このような据置きタイプの情報処理装置では、本体部と表示部とが完全に分離されているため、持ち運びが不便であり、常に所定の場所に設置しなければならないという不都合がある。このような問題を回避することができる情報処理装置として、本体部に表示部を一体的に組み込んだノート型などの携帯性を有するタイプのものがあるが、このような情報処理装置では、ユーザの希望に応じて表示部を選択することができないという不都合がある。
【０００４】
このようないずれのタイプの情報処理装置においても、ユーザがどちらか一方の使用タイプを購入時に選択しなければならず、購入後に使用タイプを変更することができないという不都合がある。
【０００５】
この発明が解決しようとする課題は、表示部を本体部とスタンド部とのいずれかに着脱可能に取り付けて使用することができ、これにより購入後においてもユーザが自由に使用タイプを変更することができる情報処理装置を提供することである。
【課題を解決するための手段】
【０００６】
この発明は、上記課題を解決するために、次のような構成要素を備えている。
なお、各構成要素には、後述する実施形態の項で説明される各要素に付されている図面の参照番号などを括弧と共に付す。
【０００７】
請求項１に記載の発明は、図１〜図２９に示すように、本体部（装置本体１）、表示部（表示ユニット２）、スタンド部（スタンド３）を有する情報処理装置であって、前記本体部は、前記表示部が着脱可能に取り付けられる本体側取付部（６）と、前記表示部に対して電源および表示制御信号を供給するための本体側コネクタ（７）とを有し、前記スタンド部は、前記表示部が着脱可能に取り付けられるスタンド側取付部（１８）と、前記表示部に対して電源および表示制御信号を供給するためのスタンド側コネクタ（１９）と、前記本体部の前記本体側コネクタに接続されて前記本体部から電源および表示制御信号を取り込む接続ケーブル（９）とを有し、前記表示部は、前記本体部の前記本体側取付部と前記スタンド部の前記スタンド側取付部とのいずれかに着脱可能に取り付けられる表示側取付部（２４）と、前記本体部の前記本体側コネクタと前記スタンド部の前記スタンド側コネクタとのいずれかに着脱可能に接続される表示側コネクタ（２５）とを有することを特徴とする情報処理装置である。
【０００８】
請求項２に記載の発明は、図１〜図１２に示すように、前記表示部（表示ユニット２）が表示ケース（２１）とアーム部（２２）とを有し、前記表示ケースが少なくとも情報を表示する表示機能を有する表示パネル（入力表示パネル２７）を備え、前記アーム部の一端部が前記表示ケースに第１ヒンジ機構（２３）を介して取り付けられ、前記アーム部の他端部には前記表示側取付部（２４）と前記表示側コネクタ（２５）とが第２ヒンジ機構（２６）を介して取り付けられ、前記表示側コネクタと前記表示ケースの前記表示パネルとが、前記アーム部の内部を引き回された接続線によって電気的に接続されていることを特徴とする請求項１に記載の情報処理装置である。
【０００９】
請求項３に記載の発明は、図１３〜図２０に示すように、前記表示ケース（２１）が、前記アーム部（２２）を介して前記本体部（装置本体１）に対し取り付けられた場合、
前記表示ケースの下部が前記本体部の底面よりも高い位置で、前記表示パネル（入力表示パネル２７）の表示画面が前記本体部の前方を向く第１状態と、
前記表示ケースの下部が前記本体部の上面よりも高い位置で、前記表示パネルの表示画面が前記本体部の後方を向く第２状態と、
前記表示ケースが前記本体部の前方に位置し、その手前側端部が前記本体部の底面とほぼ同じ高さで、前記表示パネルの表示画面が上方を向く第３状態と、
前記表示ケースの下部が前記本体部の底面よりも低い位置で、前記表示パネルの表示画面が前記本体部の前方を向く第４状態と
の各状態になることを特徴とする請求項２に記載の情報処理装置である。
【００１０】
請求項４に記載の発明は、図２１〜図２６に示すように、前記表示ケース（２１）が、前記アーム部（２２）を介して前記スタンド部（スタンド３）に対し取り付けられた場合、
前記表示ケースの下部が前記スタンド部の底面よりも高い位置で、前記表示パネル（入力表示パネル２７）の表示画面が前記スタンド部の前方を向く第１状態と、
前記表示ケースの下部が前記スタンド部の上面よりも高い位置で、前記表示パネルの表示画面が前記スタンド部の後方を向く第２状態と、
前記表示ケースが前記スタンド部の前方に位置し、その手前側端部が前記スタンド部の底面とほぼ同じ高さで、前記表示パネルの表示画面が上方を向く第３状態と
の各状態になることを特徴とする請求項２に記載の情報処理装置である。
【００１１】
請求項５に記載の発明は、図７および図８に示すように、前記アーム部（２２）の前記第１ヒンジ機構（２３）が、前記アーム部の長手方向に対して直交する第１軸部材（２８）と、この第１軸部材に対して直交すると共に前記表示ケース（２１）の前記表示パネル（入力表示パネル２７）に対してほぼ垂直な第２軸部材（２９）とを備えていることを特徴とする請求項２〜４のいずれかに記載の情報処理装置である。
【００１２】
請求項６に記載の発明は、図４に示すように、前記本体部（装置本体１）の後面には、この本体部に接続される各種の接続ケーブル（９）を前記本体部の上下左右のいずれかの方向に出線する後面カバー（１４）が設けられていることを特徴とする請求項１〜５のいずれかに記載の情報処理装置である。
【００１３】
請求項７に記載の発明は、図３、図１８、図１９に示すように、前記本体部（装置本体１）にはキーボード（３７）の下部を押えるキーボード押え部（１３）が引き出し可能に設けられ、前記表示ケース（２１）は、前記キーボード押え部によってキーボードの下部を押えたときに、前記キーボードの上部を押えることを特徴とする請求項２〜６のいずれかに記載の情報処理装置である。
【００１４】
請求項８に記載の発明は、図５および図２６に示すように、前記スタンド部（スタンド３）にはキーボード（３７）の下部を押えるキーボード押え部（キーボード押え突起部１５ａ）が設けられ、前記表示ケース（２１）は、前記キーボード押え部によってキーボードの下部を押えたときに、前記キーボードの上部を押えることを特徴とする請求項２〜６のいずれかに記載の情報処理装置である。
【００１５】
請求項９に記載の発明は、図５、図２７、図２８に示すように、前記スタンド部（スタンド３）が、その設置面に取り付けられる取付部材（取付板２０）を備え、この取付部材に係脱可能に取り付けられることを特徴とする請求項１〜５のいずれかに記載の情報処理装置である。
【００１６】
請求項１０に記載の発明は、図２９に示すように、前記本体部（装置本体１）から供給される電源および表示制御信号を複数の前記スタンド部（スタンド３）にそれぞれ分配する分配器（４０）を備えていることを特徴とする請求項１〜９のいずれかに記載の情報処理装置である。
【発明の効果】
【００１７】
請求項１に記載の発明によれば、表示部の表示側取付部を本体部の本体側取付部に着脱可能に取り付けると共に、表示部の表示側コネクタを本体部の本体側コネクタに接続することにより、本体部から電源および表示制御信号を表示部に供給することができ、これにより表示部を本体部に取り付けて良好に使用することができる。また、接続ケーブルで本体部の本体側コネクタとスタンド部とを電気的に接続し、この状態で表示部の表示側取付部をスタンド部のスタンド側取付部に着脱可能に取り付けると共に、表示部の表示側コネクタをスタンド部のスタンド側コネクタに接続することにより、本体部からの電源および表示制御信号をスタンド部を介して表示部に供給することができ、これにより表示部をスタンド部に取り付けて良好に使用することができる。
【００１８】
このため、請求項１に記載の発明では、表示部を本体部とスタンド部とのいずれかに取り付けて使用することができるので、購入後においてもユーザが自由に使用タイプを変更することができる。これにより、表示部を本体部に取り付けた場合の使用タイプと表示部をスタンド部に取り付けた場合の使用タイプとの両方の利点を選択的に得ることができる。このため、購入後にユーザが使い方や設置場所を変更する際、その変更に容易に対処することができるので、使い勝手の良いものを得ることができる。
【００１９】
請求項２に記載の発明によれば、表示部が表示ケースとアーム部とを有し、表示ケースが少なくとも情報を表示する表示機能を有する表示パネルを備え、アーム部の一端部が表示ケースに第１ヒンジ機構を介して取り付けられ、アーム部の他端部には表示側取付部と表示側コネクタとが第２ヒンジ機構を介して取り付けられ、表示側コネクタと表示ケースの表示パネルとがアーム部の内部を引き回された接続線によって電気的に接続されていることにより、表示部を本体部とスタンド部とのどちらに取り付けても、アーム部の両端部に設けられた第１、第２ヒンジ機構によって表示ケースの向きおよび位置を自由に調節することができ、これにより良好に表示パネルの表示画面を見ることができる。
【００２０】
この場合には、アーム部が表示ケースに取り付けられているので、表示部を本体部に取り付けるときでも、また表示部をスタンド部に取り付けるときでも、共通のアーム部を用いることができ、これにより製造コストを下げることができるほか、特に表示部を本体部とスタンド部とのいずれに取り付けた場合でも、表示ケースの向きや位置を調節するときの調節操作が共通にできるので、調節操作性の良いものを得ることができる。また、表示側コネクタと表示ケースとがアーム部の内部を引き回れた接続線によって電気的に接続されていることにより、表示ケースの向きや位置を調節するときに、接続線が邪魔にならないようにすることができる。
【００２１】
請求項３に記載の発明によれば、表示ケースがアーム部を介して本体部に対し取り付けられた場合、表示ケースが第１〜第４状態のいずれかの状態になることにより、表示部を本体部に取り付けて設置スペースを少なくしても、本体部を移動させる必要がなく、表示ケースの向きや位置を第１〜第４状態のいずれかに自由に調節することができる。例えば、本体部を机などの載置面上に配置した通常の使用形態のときには、表示ケースの下部が本体部の底面よりも高い位置で、表示パネルの表示画面が本体部の前方を向く第１状態に調節することにより、良好に使用することができる。また、表示パネルに表示された情報をお客などの他の人に見せる使用形態のときには、表示ケースの下部が本体部の上面よりも高い位置で、表示パネルの表示画面が本体部の後方を向く第２状態に調節することにより、お客などの他の人に表示パネルの表示画面を良好に見せることができる。
【００２２】
また、タッチペンなどの入力ペンによる入力操作が可能な表示パネルの表示画面をタッチ入力操作する使用形態のときには、表示ケースが本体部の前方に位置し、その手前側端部が本体部の底面とほぼ同じ高さで、表示パネルの表示画面が上方を向く第３状態に調節することにより、表示ケースの表示パネルを良好にタッチ入力操作することができる。さらに、本体部を机などの載置面に配置された支持台上に配置して、本体部をプリンタなどの周辺機器の上方に配置した使用形態のときには、表示ケースの下部が本体部の底面よりも低い位置で、表示パネルの表示画面が本体部の前方を向く第４状態に調節することにより、良好に表示パネルを見ながら使用することができる。
【００２３】
請求項４に記載の発明によれば、表示ケースがアーム部を介してスタンド部に対し取り付けられた場合、表示ケースが第１〜第３状態のいずれかの状態になることにより、表示部をスタンド部に取り付けて設置スペースを少なくしても、請求項３に記載の発明と同様、スタンド部を移動させる必要がなく、表示ケースの向きや位置を第１〜第３状態のいずれかに自由に調節することができる。例えば、スタンド部を机などの載置面上に配置した通常の使用形態のときには、表示ケースの下部がスタンド部の底面よりも高い位置で、表示パネルの表示画面がスタンド部の前方を向く第１状態に調節することにより、良好に使用することができる。
【００２４】
また、表示パネルに表示された情報をお客などの他の人に見せる使用形態のときには、表示ケースの下部がスタンド部の上面よりも高い位置で、表示パネルの表示画面がスタンド部の後方を向く第２状態に調節することにより、お客などの他の人に表示パネルの表示画面を良好に見せることができる。さらに、タッチペンなどの入力ペンによる入力操作が可能な表示パネルの表示画面をタッチ入力操作する使用形態のときには、表示ケースがスタンド部の前方に位置し、その手前側端部がスタンド部の底面とほぼ同じ高さで、表示パネルの表示画面が上方を向く第３状態に調節することにより、表示ケースの表示パネルを良好にタッチ入力操作することができる。
【００２５】
請求項５に記載の発明によれば、アーム部の第１ヒンジ機構が、アーム部の長手方向に対して直交する第１軸部材と、この第１軸部材に対して直交すると共に表示ケースの表示パネルに対してほぼ垂直な第２軸部材とを備えていることにより、第１ヒンジ機構の第１軸部材によって表示ケースを表裏反転方向に回転させることができるので、請求項３または４に記載した発明と同様の各状態に表示ケースを配置することができるほか、特に第２軸部材によって表示ケースを面方向に回転させることができるので、表示パネルの表示画面を横向きと縦向きとに変えることができ、これによっても表示パネルの使用形態を広げることができ、より一層、使い勝手の良いものを得ることができる。
【００２６】
請求項６に記載の発明によれば、本体部の後面には、その本体部に接続される各種の接続ケーブルを本体部の上下左右のいずれかの方向に出線する後面カバーが設けられていることにより、本体部を後方の壁面に押し付けて設置するときに、接続ケーブルが邪魔にならず、良好に設置することができ、これにより本体部の設置スペースを最小限に抑えることができる。また、このように本体部を壁面に押し付けて設置しても、本体側コネクタに対する接続ケーブルの抜き差しが容易にでき、これにより接続作業性の良いものを得ることができる。
【００２７】
請求項７に記載の発明によれば、本体部にキーボード押え部が引き出し可能に設けられ、このキーボード押え部を本体部から引き出してキーボードの下部を押えたときに、表示ケースがキーボードの上部を押えることにより、キーボードを横向きに立てた状態で本体部に接近させて保持することができる。これにより、キーボードをコンパクトに収納することができると共に、装置全体のコンパクト化をも図ることができ、これによっても装置全体の設置スペースを狭く抑えることができる。
【００２８】
請求項８に記載の発明によれば、スタンド部にキーボード押え部が設けられ、このキーボード押え部によってキーボードの下部を押えたときに、表示ケースがキーボードの上部を押えることにより、キーボードを横向きに立てた状態でスタンド部に接近させて保持することができる。このため、請求項７に記載の発明と同様、キーボードをコンパクトに収納することができると共に、装置全体のコンパクト化をも図ることができ、これによっても装置全体の設置スペースを狭く抑えることができる。
【００２９】
請求項９に記載の発明によれば、スタンド部が、その設置面に取り付けられる取付部材を備え、この取付部材に係脱可能に取り付けられることにより、この取付部材によってスタンド部を机などの設置面に限らず、壁や天井などの設置面にも取り付けることができ、これにより表示部を壁や天井などに対しても設置することができる。このように壁や天井に表示部を設置しても、アーム部によって表示ケースを見やすい位置に配置することができるので、良好に使用することができる。
【００３０】
請求項１０に記載の発明によれば、本体部から供給される電源および表示制御信号を複数のスタンド部にそれぞれ分配する分配器を備えていることにより、複数のスタンド部にそれぞれ表示部を取り付けて、各スタンド部を自由な場所に設置することができる。これにより、複数の人がそれぞれ異なる場所や異なる状態で表示部に表示された情報を同時に見ることができ、これによっても使い勝手の良いものを得ることができる。
【発明を実施するための最良の形態】
【００３１】
以下、図１〜図２８を参照して、この発明の情報処理装置の実施形態について説明する。
図１はこの発明の情報処理装置の装置本体に表示ユニットを取り付けた場合の斜視図、図２は図１の表示ユニットをスタンドに取り付けた場合の斜視図である。
この情報処理装置は、図１および図２に示すように、装置本体１と、表示ユニット２と、スタンド３とを備え、表示ユニット２が装置本体１とスタンド３とのいずれか一方に着脱可能に取り付けられるように構成されている。
【００３２】
装置本体１は、図１〜図４に示すように、ほぼ長方形の箱形状に形成され、その上面から前面に亘って取付用開口部４が設けられている。この取付用開口部４には、図２および図４に示すように、本体カバー５が着脱可能に装着されており、この取付用開口部４の内部には、図３に示すように、表示ユニット２が取り付けられる本体側取付部６、および表示ユニット２が電気的に接続する本体側コネクタ７が設けられていると共に、これら本体側取付部６および本体側コネクタ７を覆う取付カバー８が着脱可能に取り付けられている。この場合、本体側コネクタ７は、装置本体１内の電子回路（図示せず）に電気的に接続され、図４に示すように、スタンド３に接続された接続ケーブル９のケーブルコネクタ９ａが着脱可能に接続されるように構成されている。
【００３３】
また、この装置本体１の前面には、図１〜図３に示すように、電源スイッチなどのスイッチ部１０が設けられており、装置本体１の右側面には、ＦＤドライバ、ＤＶＤドライバなどの各種のドライバ１１、および外部機器との外部接続部１２が設けられている。また、この装置本体１の前面下部には、図３に示すように、キーボード押え部１３が引き出し可能に設けられている。さらに、この装置本体１の後面には、後面カバー１４が取り付けられている。この後面カバー１４は、図４に示すように、上下左右の各側面にケーブル引出口１４ａがそれぞれ設けられ、これらケーブル引出口１４ａから、接続ケーブル９や電源ケーブル（図示せず）などの各種のケーブルを上下左右のいずれかの方向に引き出すように構成されている。
【００３４】
一方、スタンド３は、図５に示すように、ベース板１５の上面に取付台１６を設けた構成になっている。この取付台１６には、取付用開口部１７が設けられており、この取付用開口部１７の内部には、表示ユニット２が取り付けられるスタンド側取付部１８、および表示ユニット２が電気的に接続するスタンド側コネクタ１９が設けられていると共に、これらスタンド側取付部１８およびスタンド側コネクタ１９を覆うスタンドカバー４１が着脱可能に取り付けられている。この場合、スタンド側コネクタ１９は、取付台１６内の電子回路（図示せず）に電気的に接続されており、この電子回路には装置本体１の本体側コネクタ７に接続された接続ケーブル９が接続されている。また、ベース板１５の下面には、スタンド３を机や壁、天井などの各種の設置面に取り付けるための取付板２０が着脱可能に装着されている。
【００３５】
また、表示ユニット２は、図６に示すように、表示ケース２１とアーム部２２とを備え、アーム部２２の一端部（図６では上端部）が表示ケース２１の後面に第１ヒンジ機構２３を介して取り付けられ、アーム部２２の他端部（図６では下端部）に表示側取付部２４と表示側コネクタ２５とが第２ヒンジ機構２６を介して取り付けられた構成になっている。この場合、表示ケース２１は、全体がほぼ平板状の箱形に形成されており、その内部には、図１および図２に示すように、入力表示パネル２７が前面の表示開口部２１ａに対応して設けられている。この入力表示パネル２７は、透明なタッチパネルの裏面に表示パネルを重ね合わせてなり、入力ペンなどでタッチパネルをタッチ操作することにより、情報を入力すると共に、表示パネルに表示された情報が透明なタッチパネルを通して外部から見えるように構成されている。
【００３６】
アーム部２２の上端部の第１ヒンジ機構２３は、図６〜図８に示すように、アーム部２２の長手方向に対して直交する第１軸部材２８と、この第１軸部２８に対して直交すると共に入力表示パネル２７に対してほぼ垂直な第２軸部材２９とを備えている。第１軸部材２８は、図７および図８に示すように、回転軸３０と、この回転軸３０の両端部を回転可能に支持する一対の支持片３１と、回転軸３０の中間部に固定された連結板３２とからなり、一対の支持片３１が回転軸３０の両端にビスなどの締結部材３１ａによって取り付けられた状態で、アーム部２２の上端部の両側に取り付けられた構成なっている。
【００３７】
この場合、締結部材３１ａは、その締結力に応じて一対の支持片３１と回転軸３０との相対的な回転に対し所定の負荷を付与するように構成されている。これにより、第１軸部材２８は、アーム部２２の上端部に対し表示ケース２１が所定の負荷をもって上下方向に回転するように構成されている。また、第２軸部材２９は、図７および図８に示すように、第１軸部材２８の連結板３２に取り付けられる第１支持板３３と、表示ケース２１の裏面に固定される第２支持板３４と、これら第１支持板３３と第２支持板３４とを入力表示パネル２７の面方向に回転可能に連結する連結軸３５とからなっている。これにより、第２軸部材２９は、アーム部２２の上端部において表示ケース２１が入力表示パネル２７の面方向に回転するように構成されている。
【００３８】
また、アーム部２２の下端部の第２ヒンジ機構２６は、第１ヒンジ機構２３の第１軸部材２８とほぼ同じ構造であるため、同一部分に同一符号を付して説明する。すなわち、この第２ヒンジ機構２６は、回転軸３０と、この回転軸３０の両端部を回転可能に支持する一対の支持片３１と、回転軸３０の中間部に固定された表示側取付部２４とからなり、一対の支持片３１が回転軸３０の両端にビスなどの締結部材３１ａによって取り付けられた状態で、図６に示すように、アーム部２２の下端部の両側に取り付けられた構成になっている。これにより、第２ヒンジ機構２６は、アーム部２２の下端部に対して表示側取付部２４が上下方向に回転するように構成されている。
【００３９】
この場合、表示側取付部２４は、図９および図１１に示すように、装置本体１の本体側取付部６とスタンド３のスタンド側取付部１８とのいずれかにビス３６によって着脱可能に取り付けられるように構成されている。また、この表示側取付部２４には、図６に示すように、表示側コネクタ２５が設けられている。この表示側コネクタ２５は、図９および図１１に示すように、装置本体１の本体側コネクタ７とスタンド３のスタンド側コネクタ１９とのいずれかに着脱可能に差し込まれて電気的に接続されるように構成されている。この場合、アーム部２２の内部には、表示側コネクタ２５と表示ケース２１内の電子回路（図示せず）とを電気的に接続する接続線（図示せず）が第１、第２ヒンジ機構２３、２６を通して引き回されている。
【００４０】
次に、このような表示ユニット２を装置本体１に取り付ける場合について、図９および図１０を参照して説明する。まず、図９に示すように、装置本体１の取付用開口部４から本体カバー５および取付カバー８を取り外し、本体側取付部６および本体側コネクタ７を露出させる。この状態で、表示ユニット２のアーム部２２の下端部に第２ヒンジ機構２６を介して取り付けられた表示側取付部２４の表示側コネクタ２５を装置本体１の本体側コネクタ７に差し込んで電気的に接続する。そして、アーム部２２の表示側取付部２４を装置本体１の本体側取付部６にビス３６で取り付けた後、図１０に示すように、取付カバー８を取付用開口部４に取り付け、この取付カバー８で本体側取付部６および本体側コネクタ７を覆う。これにより、表示ユニット２が装置本体１に取り付けられると共に、表示ユニット２の表示ケース２１と装置本体１とが電気的に接続される。
【００４１】
また、表示ユニット２をスタンド３に取り付ける場合には、図１１に示すように、まず、スタンド３の取付用開口部１７からスタンドカバー４１を取り外し、スタンド側取付部１８およびスタンド側コネクタ１９を露出させる。この状態で、表示ユニット２のアーム部２２の下端部に第２ヒンジ機構２６を介して取り付けられた表示側取付部２４の表示側コネクタ２５をスタンド３のスタンド側コネクタ１９に差し込んで電気的に接続する。そして、アーム部２２の表示側取付部２４をスタンド３のスタンド側取付部１８にビス３６で取り付けた後、図１２に示すように、スタンドカバー４１を取付用開口部１７に取り付け、このスタンドカバー４１でスタンド側取付部１８およびスタンド側コネクタ１９を覆う。
【００４２】
これにより、表示ユニット２がスタンド３に取り付けられると共に、表示ユニット２の表示ケース２１とスタンド３とが電気的に接続される。また、このときには、図４に示すように、予め、装置本体１の取付用開口部４を開放して、スタンド３に接続された接続ケーブル９のケーブルコネクタ９ａを本体側コネクタ７に差し込んで接続し、この状態で本体カバー５を装置本体１の取付用開口部４に装着して取付用開口部４を塞ぐ。これにより、装置本体１とスタンド３とが接続ケーブル９によって電気的に接続されると共に、この接続ケーブル９を介してスタンド３に取り付けられた表示ユニット２と装置本体１とが電気的に接続される。
【００４３】
次に、図１に示すように、装置本体１に表示ユニット２を取り付けて使用する場合について説明する。この場合には、表示ユニット２が表示ケース２１とアーム部２２とを備え、アーム部２２の上端部が第１ヒンジ機構２３を介して表示ケース２１に取り付けられ、アーム部２２の下端部に表示側取付部２４および表示側コネクタ２５が第２ヒンジ機構２６を介して取り付けられ、この表示側取付部２４が装置本体１の本体側取付部６に取り付けられていると共に、表示側コネクタ２５が装置本体１の本体側コネクタ７に接続されているので、表示ケース２１が装置本体１に電気的に接続されて取り付けられた状態で、装置本体１に対して表示ケース２１の向きや位置を自由に調節することができる。
【００４４】
例えば、図１４に示すように、表示ユニット２のアーム部２２を装置本体１に対してほぼ垂直に起立させると共に、表示ユニット２の表示ケース２１をアーム部２２とほぼ平行になるように表裏反転方向つまり上下方向に回転させて、表示ケース２１を装置本体１に対しほぼ垂直に起立させる。これにより、図１３および図１４に示すように、表示ケース２１の下部を装置本体１の底面よりも高い位置で、表示ケース２１の入力表示パネル２７を装置本体１の前方に向けた第１状態に配置することができる。この状態では、図１３に示すように、装置本体１の手前側にキーボード３７を配置して、通常の情報処理装置として良好に使用することができる。
【００４５】
この状態で、アーム部２２の上端部に設けられた第１ヒンジ機構２３が第１軸部材２８と第２軸部材２９とを備え、第１軸部材２８によって表示ケース２１が上下方向に回動し、第２軸部材２９によって表示ケース２１が入力表示パネル２７の面方向に回転するので、第１軸部材２８によって表示ケース２１を装置本体１に対しほぼ垂直に配置することができると共に、第２軸部材２９によって表示ケース２１を入力表示パネル２７の面方向に９０°回転させて、図１３および図１５に示すように、表示ケース２１の入力表示パネル２７の向きを横長表示状態と縦長表示状態とに変えることができる。
【００４６】
また、この表示ユニット２はアーム部２２の上端部に設けられた第１ヒンジ機構２３の第１軸部材２８によって、図１６に示すように、表示ユニット２の表示ケース２１を装置本体１の後方に向ける第２状態に配置することができる。このときには、図１４に示すように、表示ケース２１の入力表示パネル２７を装置本体１の前方に向けた第１状態で、アーム部２２の第１軸部材２８によって表示ケース２１を上下方向に１８０°回転させて、表示ケース２１を表裏反転させると、図１６に示すように、表示ケース２１の入力表示パネル２７を装置本体１の後方に向けることができ、これにより入力表示パネル２７に表示された情報をお客などの他の人に見せることができる。この場合にも、図１５に示したように、第１ヒンジ機構２３の第２軸部材２９によって表示ケース２１を面方向に回転させて、表示ケース２１の入力表示パネル２７の向きを横長表示状態と縦長表示状態とに変えることができる。
【００４７】
また、表示ケース２１を装置本体１の手前側に配置させて、図１７に示すように、表示ケース２１の入力表示パネル２７が上方向を向く第３状態にすることができる。このときには、アーム部２２の下端部に設けられた第２ヒンジ機構２６によってアーム部２２を装置本体１の前側に倒すと共に、アーム部２２の上端部に設けられた第１ヒンジ機構２３の第１軸部材２８によって表示ケース２１を上下方向に回動させて、表示ケース２１を表裏反転させると、図１７に示すように、表示ケース２１の入力表示パネル２７を上方に向けることができる。この状態では、入力ペンによる入力表示パネル２７のタッチ入力操作が容易にできる。この場合にも、図１５に示したように、第１ヒンジ機構２３の第２軸部材２９によって表示ケース２１を面方向に回転させて、表示ケース２１の入力表示パネル２７の向きを横長表示状態と縦長表示状態とに変えることができる。
【００４８】
さらに、キーボード３７を収納する場合には、図１８および図１９に示すように、装置本体１の下部に設けられたキーボード押え部１３を引き出し、このキーボード押え部１３にキーボード３７を係止させる。このときには、図１８に示すように、キーボード３７を横向きに立て、その下部をキーボード押え部１３で係止し、この状態で図１９に示すように、キーボード３７の上部を表示ケース２１とアーム部２２とで挟むことにより、キーボード３７をコンパクトに収納することができると共に、情報処理装置全体をコンパクトにすることができ、これにより装置全体の設置スペースを狭くすることができる。
【００４９】
また、図２０に示すように、表示ユニット２が取り付けられた装置本体１を支持台３８上に配置し、この支持台３８の下にプリンタ３９を配置して使用する場合には、プリンタ３９の手前側（同図では左側）にキーボード３７を配置し、この状態で表示ケース２１の下部が装置本体１の底面よりも低い位置で、表示ケース２１の入力表示パネル２７が装置本体１の前方を向く第４状態に配置する。このときには、アーム部２２の第２ヒンジ機構２６によってアーム部２２を装置本体１の前側に倒し、第１ヒンジ機構２３の第１軸部材２８によって表示ケース２１をプリンタ３９の前方に配置する。これにより、表示ケース２１をキーボード３７の上方に接近させて配置することができる。この場合にも、第１ヒンジ機構２３の第２軸部材２９によって表示ケース２１を面方向に回転させて、表示ケース２１の入力表示パネル２７の向きを横長表示状態と縦長表示状態とに変えることができる。
【００５０】
一方、図２に示すように、表示ユニット２をスタンド３に取り付けて使用する場合には、表示ユニット２のアーム部２２の下端部に第２ヒンジ機構２６を介して取り付けられた表示側取付部２４をスタンド３のスタンド側取付部１８に取り付けると共に、この表示側取付部２４に設けられた表示側コネクタ２５をスタンド３のスタンド側コネクタ１９に接続することにより、表示ユニット２を装置本体１に取り付けた場合と同様、表示ケース２１をスタンド３に電気的に接続して取り付けた状態で、スタンド３に対して表示ケース２１の向きおよび位置を自由に調節することができる。
【００５１】
例えば、図２１および図２２に示すように、表示ユニット２のアーム部２２をスタンド３に対してほぼ垂直に起立させると共に、表示ユニット２の表示ケース２１をアーム部２２とほぼ平行になるように上下方向に回転させて、表示ケース２１をスタンド３に対しほぼ垂直に起立させる。これにより、図２１および図２２に示すように、表示ケース２１の下部をスタンド３の底面よりも高い位置で、表示ケース２１の入力表示パネル２７がスタンド３の前方を向く第１状態に配置することができる。この状態では、スタンド３の手前側にキーボード３７を配置して、通常の情報処理装置として良好に使用することができる。
【００５２】
この状態で、アーム部２２の上端部に設けられた第１ヒンジ機構２３が第１軸部材２８と第２軸部材２９とを備え、第１軸部材２８によって表示ケース２１が上下方向に回動し、第２軸部材２９によって表示ケース２１が入力表示パネル２７の面方向に回転するので、第１軸部材２８によって表示ケース２１をスタンド３に対しほぼ垂直に配置することができると共に、第２軸部材２９によって表示ケース２１を入力表示パネル２７の面方向に９０°回転させて、図２１および図２３に示すように、表示ケース２１の入力表示パネル２７の向きを横長表示状態と縦長表示状態とに変えることができる。
【００５３】
また、この表示ユニット２はアーム部２２の上端部に設けられた第１ヒンジ機構２３の第１軸部材２８によって、図２４に示すように、表示ユニット２の表示ケース２１がスタンド３の後方を向く第２状態に配置することができる。このときには、図２２に示すように、表示ケース２１の入力表示パネル２７をスタンド３の前方に向けた第１状態で、アーム部２２の第１軸部材２８によって表示ケース２１を上下方向に１８０°回転させて、表示ケース２１を表裏反転させると、図２４に示すように、表示ケース２１の入力表示パネル２７をスタンド３の後方に向けることができ、これにより入力表示パネル２７に表示された情報をお客などの他の人に見せることができる。この場合にも、図２３に示したように、第１ヒンジ機構２３の第２軸部材２９によって表示ケース２１を面方向に回転させて、表示ケース２１の入力表示パネル２７の向きを横長表示状態と縦長表示状態とに変えることができる。
【００５４】
また、表示ケース２１をスタンド３の手前側に配置させて、図２５に示すように、表示ケース２１の入力表示パネル２７が上方向を向く第３状態にすることができる。このときには、図２５に示すように、アーム部２２の下端部に設けられた第２ヒンジ機構２６によってアーム部２２をスタンド３の前側に倒すと共に、アーム部２２の上端部に設けられた第１ヒンジ機構２３の第１軸部材２８によって表示ケース２１を上下方向に回動させて、表示ケース２１を表裏反転させると、図２５に示すように、表示ケース２１の入力表示パネル２７を上方に向けることができる。この状態では、入力ペンによる入力表示パネル２７のタッチ入力操作が容易にできる。この場合にも、図２３に示したように、第１ヒンジ機構２３の第２軸部材２９によって表示ケース２１を面方向に回転させて、表示ケース２１の入力表示パネル２７の向きを横長表示状態と縦長表示状態とに変えることができる。
【００５５】
さらに、キーボード３７を収納する場合には、図２６に示すように、スタンド３のベース板１５の先端部に設けられたキーボード押え突起部１５ａにキーボード３７を係止させる。このときには、図２６に示すように、キーボード３７を横向きに立て、その下部をキーボード押え突起部１５ａで係止し、この状態でキーボード３７の上部を表示ケース２１とアーム部２２とで挟むことにより、キーボード３７をコンパクトに収納することができると共に、情報処理装置全体をコンパクトにすることができ、これによっても装置全体の設置スペースを狭くすることができる。
【００５６】
次に、このスタンド３を壁面に取り付けて使用する場合には、図２７および図２８に示すように、スタンド３の取付板２０を壁面にビス２０ａによって取り付け、この取付板２０にスタンド３のベース板１５を取り付ける。このときには、取付板２０の各係合部２０ｂにベース板１５の下面に設けられた各係止フック１５ｂを係止させることにより、ベース板１５を取付板２０に取り付けることができる。このようにスタンド３を壁面に取り付けた場合にも、図２１〜図２５に示すように、表示ケース２１の向きおよび位置を自由に調節することができる。なお、スタンド３は、壁面に限らず、天井に取付板２０を取り付けることにより、天井にも取り付けることができる。
【００５７】
このように、この情報処理装置によれば、表示ユニット２のアーム部２２の表示側取付部２４を装置本体１の本体側取付部６に着脱可能に取り付けると共に、表示ユニット２のアーム部２２の表示側コネクタ２５を装置本体１の本体側コネクタ７に接続することにより、装置本体１から電源および表示制御信号を表示ケース２１に供給することができ、これにより表示ユニット２を装置本体１に取り付けて良好に使用することができる。
【００５８】
また、装置本体１にスタンド３を接続ケーブル９によって接続した状態で、表示ユニット２のアーム部２２の表示側取付部２４をスタンド３のスタンド側取付部１８に着脱可能に取り付けると共に、表示ユニット２のアーム部２２の表示側コネクタ２５をスタンド３のスタンド側コネクタ１９に接続することにより、装置本体１からの電源および表示制御信号をスタンド３を介して表示ケース２１に供給することができ、これにより表示ユニット２をスタンド３に取り付けて良好に使用することができる。
【００５９】
このため、この情報処理装置によれば、表示ユニット２を装置本体１とスタンド３とのいずれかに取り付けて使用することができるので、購入後においてもユーザが自由に使用するタイプを変更することができる。これにより、表示ユニット２を装置本体１に取り付けた場合のタイプと、表示ユニット２をスタンド３に取り付けた場合のタイプとの両方の利点を選択的に得ることができる。このため、購入後にユーザが使用タイプや設置場所を変更する際、その変更に容易に対処することができるので、使い勝手の良いものを得ることができる。
【００６０】
また、表示ユニット２が表示ケース２１とアーム部２２とを有し、このアーム部２２の上端部が表示ケース２１に第１ヒンジ機構２３を介して取り付けられ、アーム部２２の下端部に表示側取付部２４と表示側コネクタ２５とが第２ヒンジ機構２６を介して取り付けられ、表示側コネクタ２５と表示ケース２１内の電子回路とがアーム部２２の内部を引き回された接続線（図示せず）によって電気的に接続されていることにより、表示ユニット２を装置本体１とスタンド３とのどちらに取り付けても、アーム部２２の両端部に設けられた第１、第２ヒンジ機構２３、２６によって表示ケース２１の向きおよび位置を自由に調節することができ、これにより良好に入力表示パネル２７を見ることができる。
【００６１】
この場合には、アーム部２２が表示ケース２１に取り付けられているので、表示ユニット２を装置本体１に取り付けるときでも、また表示ユニット２をスタンド３に取り付けるときでも、共通のアーム部２２を用いることができ、これにより製造コストを下げることができるほか、特に表示ユニット２を装置本体１とスタンド３とのいずれに取り付けた場合でも、表示ケース２１の向きおよび位置を調節するときの調節操作が共通にできるので、調節操作性の良いものを得ることができる。また、表示側コネクタ２５と表示ケース２１内の電子回路とがアーム部２２の内部を引き回された接続線（図示せず）によって電気的に接続されていることにより、表示ケース２１の向きや位置を調節するときに、接続線が邪魔にならないようにすることができる。
【００６２】
また、表示ユニット２を装置本体１に対して取り付けた場合には、表示ケース２１の下部が装置本体１の底面よりも高い位置で、入力表示パネル２７の表示画面が装置本体１の前方を向く図１４に示す第１状態と、表示ケース２１の下部が装置本体１の上面よりも高い位置で、入力表示パネル２７の表示画面が装置本体１の後方を向く図１６に示す第２状態と、表示ケース２１が装置本体１の前方に位置し、その手前側端部が装置本体１の底面とほぼ同じ高さで、入力表示パネル２７の表示画面が上方を向く図１７に示す第３状態と、表示ケース２１の下部が装置本体１の底面よりも低い位置で、入力表示パネル２７の表示画面が装置本体１の前方を向く図２０に示す第４状態とのいずれかの状態になる。
【００６３】
このため、表示ユニット２を装置本体１に取り付けて設置スペースを少なくしても、装置本体１を移動させる必要がなく、表示ケース２１の向きや位置を第１〜第４状態のいずれかに自由に調節することができる。例えば、装置本体１を机などの設置面上に配置した通常の使用形態のときには、図１３および図１４に示すように、表示ケース２１の下部が装置本体１の底面よりも高い位置で、入力表示パネル２７の表示画面が装置本体１の前方を向く第１状態に調節することにより、良好に使用することができる。また、入力表示パネル２７に表示された情報をお客などの他の人に見せるときには、図１６に示すように、表示ケース２１の下部が装置本体１の上面よりも高い位置で、入力表示パネル２７の表示画面が装置本体１の後方を向く第２状態に調節することにより、お客などの他の人に入力表示パネル２７の表示画面を良好に見せることができる。
【００６４】
さらに、タッチペンなどの入力ペンで表示ケース２１の入力表示パネル２７をタッチ操作する入力操作をするときには、図１７に示すように、表示ケース２１が装置本体１の前方に位置し、その手前側端部が装置本体１の底面とほぼ同じ高さで、入力表示パネル２７の表示画面が上方を向く第３状態に調節することにより、良好に入力表示パネル２７をタッチ入力操作することができる。また、図２０に示すように、装置本体１を机などの設置面に配置された支持台３８上に配置し、この支持台３８の下にプリンタ３９を配置したときには、表示ケース２１の下部が装置本体１の底面よりも低い位置で、入力表示パネル２７の表示画面が装置本体１の前方を向く第４状態に調節することにより、良好に使用することができる。
【００６５】
一方、表示ユニット２をスタンド３に対して取り付けた場合にも、表示ユニット２を装置本体１に取り付けた場合とほぼ同様、表示ケース２１を第１〜第３状態に配置することができるので、表示ユニット２をスタンド３に取り付けて設置スペースを少なくしても、スタンド３を移動させる必要がなく、表示ケース２１の向きや位置を第１〜第３状態のいずれかに自由に調節することができる。特に、スタンド３は、その設置面に取り付けられる取付板２０を備え、この取付板２０に係脱可能に取り付けられるので、この取付板２０によってスタンド３を机などの設置面に限らず、壁面や天井などの設置面にも取り付けることができ、これにより表示ユニット２を壁面や天井に設置して使用することができる。このように壁面や天井などの設置面に表示ユニット２を設置しても、アーム部２２によって表示ケース２１の入力表示パネル２７に表示された情報を見やすい位置に配置することができるので、良好に使用することができる。
【００６６】
ところで、アーム部２２の第１ヒンジ機構２３は、アーム部２２の長手方向に対して直交する第１軸部材２８と、この第１軸部材２８に対し直交すると共に表示ケース２１の入力表示パネル２７に対してほぼ垂直な第２軸部材２９とを備えていることにより、第１ヒンジ機構２３の第１軸部材２８によって表示ケース２１を表裏面方向に回転させることができるほか、特に第２軸部材２９によって表示ケース２１を入力表示パネル２７の面方向にも回転させることができるので、入力表示パネル２７を横向きと縦向きとに変えることができ、これによっても入力表示パネル２７の使用形態を広げることができ、より一層、使い勝手の良いものを得ることができる。
【００６７】
また、装置本体１にはキーボード押え部１３が引き出し可能に設けられているので、このキーボード押え部１３によってキーボード３７の下部を押えたときに、キーボード３７の上部を表示ケース２１とアーム部２２との間に挟むことにより、キーボード３７を横向きに立てた状態で装置本体１に接近させて保持することができ、これによりキーボード３７をコンパクトに収納することができると共に、装置全体のコンパクト化をも図ることができ、このため装置全体の設置スペースを狭く抑えることができる。
【００６８】
同様に、スタンド３のベース板１５にもキーボード押え突起部１５ａが設けられているので、このキーボード押え突起部１５ａによってキーボード３７の下部を押えたときに、キーボード３７の上部を表示ケース２１とアーム部２２との間に挟むことにより、キーボード３７を横向きに立てた状態でスタンド３に接近させて保持することができ、これによってもキーボード３７をコンパクトに収納することができると共に、装置全体のコンパクト化をも図ることができ、これによっても装置全体の設置スペースを狭く抑えることができる。
【００６９】
さらに、この情報処理装置では、装置本体１の後面に後面カバー１４が取り付けられ、この後面カバー１４の上下左右の各側面にケーブル引出口１４ａがそれぞれ設けられているので、スタンド３に接続された接続ケーブル９や電源ケーブルなどの各種のケーブルを装置本体１の後面から引き出すときに、後面カバー１４のケーブル引出口１４ａから装置本体１の上下左右のいずれかの方向に引き出すことができる。このため、装置本体１を後方の壁面に押し付けて設置しても、各種のケーブルが邪魔にならず、良好に設置することができる。また、このように装置本体１を壁面に押し付けて設置しても、装置本体１の本体側コネクタ７に接続された接続ケーブル９の抜き差しが容易にでき、これにより接続作業性の良いものを得ることができる。この場合、装置本体１の背面にコネクタ（図示せず）が上方に向けて設けられていることが望ましい。
【００７０】
なお、上記実施形態では、表示ユニット２が表示ケース２１とアーム部２２とを備え、このアーム部２２の上端部が第１ヒンジ機構２３を介して表示ケース２１に取り付けられた構成になっているが、これに限らず、例えば装置本体１にアーム部を第２ヒンジ機構２６を介して取り付けると共に、スタンド３にも他のアーム部を第２ヒンジ機構を介して取り付け、この状態で表示ケースを装置本体１のアーム部とスタンド３のアーム部との一方に取り付けるように構成しても良い。この場合には、装置本体１のアーム部の先端部に第１ヒンジ機構２３を介して本体側取付部と本体側コネクタとを設けると共に、スタンド３のアーム部の先端部に第１ヒンジ機構２３を介してスタンド側取付部とスタンド側コネクタとを設けるほか、表示ケース２１の裏面に表示側取付部と表示側コネクタを設ければ良い。
【００７１】
このように構成すれば、前述した実施形態と同様、表示ケース２１を装置本体１とスタンド３とのいずれかのアーム部に取り付けることができるので、購入後においてもユーザが自由に使用タイプを変更することができる。これにより、表示ユニット２を装置本体１に取り付けた場合のタイプと、表示ユニット２をスタンド３に取り付けた場合のタイプとの両方の利点を選択的に得ることができ、このため購入後にユーザが使用タイプや設置場所を変更する際、その変更に容易に対処することができる。特に、装置本体１とスタンド３とで長さが異なるなアーム部を設けることにより、表示ケース２１を装置本体に取り付けた場合とスタンド３に取り付けた場合とでアーム部が異なる動きをするので、用途に応じた使い方をすることができ、これによっても使い勝手の良いものを得ることができる。
【００７２】
また、この場合にも、各アーム部が第１ヒンジ機構２３と第２ヒンジ機構２６とを備えているので、表示ケース２１を装置本体１とスタンド３とのどちらに取り付けても、前述した実施形態と同様、表示ケース２１を装置本体１に対し第１〜第４状態に配置することができると共に、表示ケース２１をスタンド３に対し第１〜第３状態に配置することができるので、表示ケース２１の向きおよび位置を自由に調節することができ、これにより良好に入力表示パネル２７を見ることができる。
【００７３】
なお、上記実施形態およびその変形例では、一つの装置本体１に一つのスタンド３を接続ケーブル９で接続し、この一つのスタンド３のみに表示ユニット２を取り付けた場合について述べたが、これに限らず、例えば図２９に示す変形例のように、装置本体１に分配器４０を接続ケーブル４２で接続し、この分配器４０で装置本体１から電源および表示制御信号を複数のスタンド３にそれぞれ接続ケーブル４３で分配するように構成しても良い。このように構成すれば、複数のスタンド３にそれぞれ表示ユニット２を取り付けることができると共に、各スタンド３を自由な場所にそれぞれ設置することができ、これにより複数の人がそれぞれ異なる場所や異なる状態で表示ユニット２に表示された同一の情報を同時に見ることができる。
【図面の簡単な説明】
【００７４】
【図１】この発明の情報処理装置において表示ユニットを装置本体に取り付けた使用状態を示した斜視図である。
【図２】図１の状態で表示ユニットを装置本体から取り外してスタンドに取り付けた使用状態を示した斜視図である。
【図３】図１および図２の装置本体の一部を分解した斜視図である。
【図４】図３の装置本体にスタンドの接続ケーブルを接続する状態を示した分解斜視図である。
【図５】図１および図２のスタンドの一部を分解した斜視図である。
【図６】図１および図２の表示ユニットを後面側から見た斜視図である。
【図７】図６のアーム部における第１ヒンジ機構を示した分解斜視図である。
【図８】図７の第１ヒンジ機構を拡大して示した正面図である。
【図９】図３の装置本体に表示ユニットを取り付ける途中の状態を示した分解斜視図である。
【図１０】図９において装置本体に表示ユニットを取り付けた状態を示した斜視図である。
【図１１】図５のスタンドに表示ユニットを取り付ける途中の状態を示した分解斜視図である。
【図１２】図１１においてスタンドに表示ユニットを取り付けた状態を示した斜視図である。
【図１３】図１０において装置本体に表示ユニットを取り付けて使用する第１状態を示した正面図である。
【図１４】図１３の側面図である。
【図１５】図１４の状態で表示ケースを面方向に回転させて縦長表示に切り替えた状態を示した正面図である。
【図１６】図１４の状態で表示ケースを上下方向に回転させて表裏反転させた第２状態を示した側面図である。
【図１７】図１４の状態で表示ケースを装置本体の手前側に引き出して入力表示パネルを上方に向けた第３状態を示した側面側の斜視図である。
【図１８】図１４の状態でキーボードを横向きに立て掛けて収納した状態を示した正面側の斜視図である。
【図１９】図１８の側面側の斜視図である。
【図２０】図１０の状態の装置本体を支持台上に配置すると共に支持台の下にプリンタを配置して使用する第４状態を示した側面図である。
【図２１】図１２において表示ユニットをスタンドに取り付けて使用する第１状態を示した斜視図である。
【図２２】図２１の側面図である。
【図２３】図２１の表示ケースを面方向に回転させて縦長表示に切り替えた状態を示した斜視図である。
【図２４】図２２の状態で表示ケースを上下方向に回転させて表裏反転させた第２状態を示した側面図である。
【図２５】図２１の状態で表示ケースをスタンドの手前側に引き出して入力表示パネルを上方に向けた第３状態を示した側面図である。
【図２６】図２１の状態でキーボードを横向きに立て掛けて収納した状態を示した側面図である。
【図２７】図１２のスタンドを取付板に取り付けて壁面などの設置面に取り付ける状態を示した斜視図である。
【図２８】図２７の取付板を壁面などの設置面に取り付ける状態を示した斜視図である。
【図２９】装置本体と複数のスタンドとを分配器を介して電気的に接続する変形例を示した概略構成図である。
【符号の説明】
【００７５】
１  装置本体
２  表示ユニット
３  スタンド
６  本体側取付部
７  本体側コネクタ
９  接続ケーブル
１３  キーボード押え部
１４  後面カバー
１５  ベース板
１５ａ  キーボード押え突起部
１６  取付台
１８  スタンド側取付部
１９  スタンド側コネクタ
２０  取付板
２１  表示ケース
２２  アーム部
２３  第１ヒンジ機構
２４  表示側取付部
２５  表示側コネクタ
２６  第２ヒンジ機構
２７  入力表示パネル
２８  第１軸部材
２９  第２軸部材
３７  キーボード
３８  支持台
３９  プリンタ
４０  分配器
【図１】
2005316867.tif 000003
【図２】
2005316867.tif 000004
【図３】
2005316867.tif 000005
【図４】
2005316867.tif 000006
【図５】
2005316867.tif 000007
【図６】
2005316867.tif 000008
【図７】
2005316867.tif 000009
【図８】
2005316867.tif 000010
【図９】
2005316867.tif 000011
【図１０】
2005316867.tif 000012
【図１１】
2005316867.tif 000013
【図１２】
2005316867.tif 000014
【図１３】
2005316867.tif 000015
【図１４】
2005316867.tif 000016
【図１５】
2005316867.tif 000017
【図１６】
2005316867.tif 000018
【図１７】
2005316867.tif 000019
【図１８】
2005316867.tif 000020
【図１９】
2005316867.tif 000021
【図２０】
2005316867.tif 000022
【図２１】
2005316867.tif 000023
【図２２】
2005316867.tif 000024
【図２３】
2005316867.tif 000025
【図２４】
2005316867.tif 000026
【図２５】
2005316867.tif 000027
【図２６】
2005316867.tif 000028
【図２７】
2005316867.tif 000029
【図２８】
2005316867.tif 000030
【図２９】
2005316867.tif 000031